(57)【要約】【課題】  ブラシシールがファンボス嵌合時の熱的な影響を受け難くなり、ケーシング内からの油漏れ防止効果を損なうことのない電動送風機を提供すること。【解決手段】  電動機１の回転軸１ａにファンボス５を介して羽根車４が連結されている。羽根車４はケーシング３で覆われ、ケーシング３は吸込口４ａおよび吐出口４ｂを有し、取付板２を介して電動機１に取り付けられている。取付板２にはブラシシール６が設けられており、このブラシシール６は、その柔軟な先端部がファンボス５から離れた位置にあり、羽根車４の一部に接触するようになっており、ファンボス５から離れた位置にあることにより、ファンボス５嵌合時の熱的な影響を受け難くなっていて熱的に劣化しないようになっている。【選択図】  図１
2006299985.tif 000002
【特許請求の範囲】
【請求項１】
電動機と、この電動機の回転軸にファンボスを介して連結された羽根車と、吸込口および吐出口を有し、前記羽根車を収納するとともに取付板を介して前記電動機に取り付けられたケーシングと、前記取付板に設けられ、前記ファンボスから離れた位置にあり前記羽根車の一部に接触するブラシシールとを具備してなる電動送風機。
【請求項２】
前記羽根車を構成する側面板に円筒状の突出部を設け、前記取付板に径方向に延びるようにブラシシールを設け、このブラシシールの先端部を、前記羽根車を構成する側面板の突出部に接触するように配設したことを特徴とする請求項１に記載の電動送風機。
【請求項３】
前記取付板に軸方向に延びるようにブラシシールを設け、このブラシシールの先端部を、前記羽根車を構成する側面板に接触するように配設したことを特徴とする請求項１に記載の電動送風機。
【発明の詳細な説明】
【技術分野】
【０００１】
本発明は、例えば空調設備などに使用されて送・排風を行なう電動送風機に関する。
【背景技術】
【０００２】
例えば空調設備に使用される電動送風機は、羽根車を収納したケーシングと、羽根車を回転させる電動機とを備える構成が一般的である（例えば特許文献１参照）。従来の電動送風機の一例について図面を参照して説明する。図５（ａ）および（ｂ）は従来の電動送風機を示す図で、（ａ）は正面図、（ｂ）は（ａ）に示す電動送風機の下半分の一部を切り欠いて示す右側面図である。図６は図５（ｂ）の主要部を拡大して示す右側面図である。
【０００３】
電動機１は、回転軸１ａを突出させた側において、取付板２を介してケーシング３が取り付けられている。ケーシング３は、軸方向の一端側に吸込口３ａが形成され、周方向の一部に吐出口３ｂが形成された渦巻き状をなし、内部に羽根車４が収納されている。羽根車４は円盤状の側面板４ａの片側に、複数個のブレード４ｂを周方向に間隔をおいて取り付けて構成されており、電動機１の回転軸１ａに円筒状のファンボス５を介して連結されている。そして回転軸１ａが回転することによって羽根車４が回転し、ケーシング３の吸込口３ａから気体を吸込み、吐出口３ｂから排出するように作用する。
【０００４】
ケーシング３の取付板２には、ドーナッツ盤状のブラシシール６が径方向に延びるように取り付けられている。ブラシシール６は、ナイロン系樹脂、プラスチックやゴム、金属などで形成され、その自由端となっている先端部側（内周側）が柔軟性を有するように多数の線状体に形成されたブラシ状に構成されており、その先端部側がファンボス５の外周面に接触するように配設されてブラシシール６の内外を遮蔽し、ケーシング３内の気体中に存在する油分などが電動機１側へ漏れ出るのを防止するようになっている。
【特許文献１】特開平６−１９３５８７号公報
【発明の開示】
【発明が解決しようとする課題】
【０００５】
ところで、上記の構造を有する電動送風機は、取付板２の側面に電動機１を取り付けるとともにその内周縁にブラシシール６を取り付け、その後、羽根車４を取り付けたファンボス５を電動機１の回転軸１ａに嵌合し、最後にこれらをケーシング３に取り付けて組み立てている。ここで、羽根車４を取り付けたファンボス５を電動機１の回転軸１ａに嵌合する際には、ファンボス５を加熱し膨張させて嵌め込む作業を行なっている。このためファンボス５が高温に加熱された際に、その被加熱部に近いファンボス５とブラシシール６との接触部にも熱が伝達されることになり、これがブラシシール６の先端部を熱的に劣化させて本来のシール性能を低下させるという問題があった。
【０００６】
本発明は上記事情に鑑みてなされたもので、その目的とするところは、ブラシシールがファンボス嵌合時の熱的な影響を受け難くなり、ケーシング内からの油漏れ防止効果を損なうことのない電動送風機を提供することにある。
【課題を解決するための手段】
【０００７】
上記の課題を解決するため、本発明による電動送風機は、電動機と、この電動機の回転軸にファンボスを介して連結された羽根車と、吸込口および吐出口を有し、羽根車を収納するとともに取付板を介して電動機に取り付けられたケーシングと、取付板に設けられ、ファンボスから離れた位置にある羽根車の一部に接触するブラシシールとを具備してなることを特徴とする。
【発明の効果】
【０００８】
本発明によれば、ブラシシールがファンボスから離れて位置するので、ファンボスの嵌合時の熱的な影響を受け難くなり、熱的に劣化することがなくなるので、油漏れ防止効果を損なうことがない。
【発明を実施するための最良の形態】
【０００９】
図１（ａ）および（ｂ）は、本発明の第１実施の形態にかかる電動送風機を示す図で、（ａ）は正面図、（ｂ）は（ａ）に示す電動送風機の下半分の一部を切り欠いて示す右側面図である。図２は図１（ｂ）の主要部を拡大して示す右側面図である。
【００１０】
図１および図２において、電動機１には、取付板２を介してケーシング３が取り付けられており、このケーシング３は、軸方向の一端側に吸込口３ａが形成され、周方向の一部に吐出口３ｂが形成された渦巻き状をなし、内部に羽根車４が収納されている。羽根車４は、円盤状の側面板４ａの片面に、多数のブレード４ｂを周方向に間隔をおいて取り付けて構成されており、円盤状の中心部に設けた円筒状のファンボス５を介して電動機１の回転軸１ａに嵌合して連結される。この羽根車４は、回転軸１ａが回転することによって回転してケーシング３の吸込口３ａから気体を吸込み、吐出口３ｂから排出するように作用する。
【００１１】
羽根車４の一部を構成する側面板４ａには、ブレード４ｂを取り付けた側と反対側の面に、軸方向に延びる円筒状の突出部４ｃが形成されており、この突出部４ｃの外周面に接触するようにブラシシール６が設けられている。すなわち、取付板２の内周部には、ドーナッツ盤状のブラシシール６が径方向に延びるように取り付けられており、その自由端となっている柔軟な先端部側（内周側）が側面板４ａに設けた突出部４ｃの外周面に接触するように配設されてケーシング３内からの油漏れを防止するようになっている。
【００１２】
本実施の形態によれば、ブラシシール６の先端部と円筒状の突出部４ｃとの接触部は、ファンボス５の被加熱部から十分に離れて位置するため、ブラシシール６はファンボス５嵌合時の熱的な影響を受け難くなり、熱的に劣化して油漏れ防止効果を損なうようなことがなくなる。
【００１３】
図３（ａ）および（ｂ）は、本発明の第２実施の形態にかかる電動送風機を示す図で、（ａ）は正面図、（ｂ）は（ａ）に示す電動送風機の下半分の一部を切り欠いて示す右側面図である。図４は図３（ｂ）の主要部を拡大して示す右側面図である。
【００１４】
図３および図４において、本実施の形態においては、取付板２にはブラシシール６が軸方向に延びるように設けられており、自由端である柔軟な先端部側（図示左側）が羽根車４の側面板４ａの、ブレード４ｂが取り付けられている側と反対側の面に接触するように設けられており、ブラシシール６の先端部と羽根車４の一部を構成する側面板４ａとの接触部でケーシング３内からの油漏れを防止するようにしている。
【００１５】
本実施の形態によっても第１の実施の形態と同様の効果を得ることができるほか、側面板４ａに突出部４ｃを形成する必要がないので、側面板４ａの構成を簡素化することができる。
【図面の簡単な説明】
【００１６】
【図１】（ａ）および（ｂ）は本発明の第１実施の形態にかかる電動送風機を示す図で、（ａ）は正面図、（ｂ）は（ａ）に示す電動送風機の下半分の一部を切り欠いて示す右側面図である。
【図２】図１（ｂ）の主要部を拡大して示す右側面図である。
【図３】（ａ）および（ｂ）は、本発明の第２実施の形態にかかる電動送風機を示す図で、（ａ）は正面図、（ｂ）は（ａ）に示す電動送風機の下半分の一部を切り欠いて示す右側面図である。
【図４】図３（ｂ）の主要部を拡大して示す右側面図である。
【図５】（ａ）および（ｂ）は、従来の電動送風機を示す図で、（ａ）は正面図、（ｂ）は（ａ）に示す電動送風機の下半分の一部を切り欠いて示す右側面図である。
【図６】図５（ｂ）の主要部を拡大して示す右側面図である。
【符号の説明】
【００１７】
１…電動機
１ａ…回転軸
２…取付板
３…ケーシング
３ａ…吸込口
３ｂ…吐出口
４…羽根車
４ａ…側面板
４ｂ…ブレード
４ｃ…突出部
５…ファンボス
６…ブラシシール
【図１】
2006299985.tif 000003
【図２】
2006299985.tif 000004
【図３】
2006299985.tif 000005
【図４】
2006299985.tif 000006
【図５】
2006299985.tif 000007
【図６】
2006299985.tif 000008